(57)【要約】 【課題】本発明は携帯電話などの移動用通信端末機に適用されるローＩＦ構造の地上波ＤＭＢ(Digital Multimedia Broadcasting)チューナー及びこれに適用されるイメージリジェクションミキサを提供することに目的がある。【解決手段】本発明のイメージリジェクションミキサは、チャンネル間隣接信号の減衰特性を改善するために、所望の信号のイメージ信号がＤＭＢ帯域に含まれるよう発振周波数を所望の信号の上側または下側へ設定し、この発振信号とＲＦ信号がミキシングされた後ポリフェーズフィルターに入力されるＩＦ信号の配列を選択できるようにすることによって、この際所望の信号のイメージが地上波ＤＭＢ帯域に含まれ、複雑な設計無しに隣接信号の減衰特性を満足することができ、発振周波数が所望の信号の上側または下側に位置しても上記ＩＦ信号に含まれたイメージ成分を除去することができる。また、こうしたイメージリジェクションミキサを有するローＩＦ構造の地上波ＤＭＢチューナーを提供する。【選択図】図３
2006197533.tif 000002
【特許請求の範囲】
【請求項１】
地上波ＤＭＢチューナーに適用可能で、９０度位相差を有する第１、第２発振信号とＲＦ信号とをミキシングしてＩＦ信号を生成するイメージリジェクションミキサにおいて、
上記ＲＦ信号と第１発振信号とを乗算して１８０度位相差を有する第１、第２ＩＦ−Ｉ信号を生成する第１乗算部と、
上記ＲＦ信号と第２発振信号を乗算して１８０度位相差を有する第１、第２ＩＦ−Ｑ信号を生成する第２乗算部と、
上記第１、第２ＩＦ−Ｉ信号が入力される第１及び第２入力端と、上記第１、第２ＩＦ−Ｑ信号が入力される第３及び第４入力端と、第１ないし第４出力端と、第１スイッチング信号に応じて上記第１、第２ＩＦ−Ｉ信号を上記第１及び第３出力端に各々出力し、上記第１、第２ＩＦ−Ｑ信号を上記第２及び第４出力端に各々出力する第１信号選択部と、第２スイッチング信号に応じて上記第１、第２ＩＦ−Ｉ信号を上記第１及び第３出力端に各々出力し、上記第１、第２ＩＦ−Ｑ信号を上記第４及び第２出力端に各々出力する第２信号選択部を含む信号選択部と、
上記信号選択部の第１ないし第４出力端に順次に各々連結された第１ないし第４入力端及び第１ないし第４出力端を含み、上記第１ないし第４入力端を通して入力される信号に含まれたイメージ成分を除去して第１ないし第４  ＩＦ信号を生成して上記第１ないし第４出力端を通して出力するポリフェーズフィルターとを具備して、
上記第１選択部がオンの際、発振周波数より低いイメージ周波数を除去し、第２選択部がオンの際、発振周波数より高いイメージ周波数を除去するよう構成されるイメージリジェクションミキサ。
【請求項２】
上記信号選択部の第１信号選択部は、第３及び第２ＤＭＢチャンネル選択の際提供される第１スイッチング信号によりオン動作されるよう成り、
上記信号選択部の第２信号選択部は、第１ＤＭＢチャンネル選択の際提供される第２スイッチング信号によりオン動作されるように成ることを特徴とする請求項１に記載のイメージリジェクションミキサ。
【請求項３】
上記信号選択部の第１信号選択部は、第３ＤＭＢチャンネル選択の際提供される第１  スイッチング信号によりオン動作されるように成り、
上記信号選択部の第２信号選択部は、第１及び第２ＤＭＢチャンネル選択の際提供される第２スイッチング信号によりオン動作されるように成ることを特徴とする請求項１に記載のイメージリジェクションミキサ。
【請求項４】
上記信号選択部の第１信号選択部は、上記第１スイッチング信号に応じてスイッチングオン動作し、上記第１、第２ＩＦ−Ｉ信号を上記第１及び第３出力端に各々出力する第１スイッチと、
上記第１スイッチング信号に応じてスイッチングオン動作して、上記第１、第２ＩＦ−Ｑ信号を上記第２及び第４出力端に各々出力する第２スイッチとを含むことを特徴とする請求項１に記載のイメージリジェクションミキサ。
【請求項５】
上記第１及び第２スイッチは、増幅器に具現されることを特徴とする請求項４に記載のイメージリジェクションミキサ。
【請求項６】
上記信号選択部の第２信号選択部は、上記第２スイッチング信号に応じてスイッチングオン動作して、上記第１、第２ＩＦ−Ｉ信号を上記第１及び第３出力端に各々出力する第３スイッチと、
上記第２スイッチング信号に応じてスイッチングオン動作して、上記第１、第２ＩＦ−Ｑ信号を上記第４及び第２出力端に各々出力する第４スイッチとを含むことを特徴とする請求項１に記載のイメージリジェクションミキサ。
【請求項７】
上記第３及び第４スイッチは、増幅器に具現されることを特徴とする請求項４に記載のイメージリジェクションミキサ。
【請求項８】
請求項１ないし７中いずれか一項に記載のイメージリジェクションミキサを含む地上波ＤＭＢチューナー。
【請求項９】
地上波ＤＭＢ帯域のＲＦ信号を既設定された帯域に通過させる帯域通過フィルターと、
上記帯域通過フィルターから出力されるＲＦ信号を増幅するＲＦ増幅部と、
チャンネル選択信号に応じて発振を制御するＰＬＬと、
上記ＰＬＬの発振制御に応じて９０度位相差を有する第１、第２発振信号を生成する二相発振部と、
上記第１、第２発振信号と、上記ＲＦ増幅部から出力される信号をミキシングしてＩＦ信号を生成し、スイッチング信号に応じて上記ＩＦ信号に含まれたイメージ成分を除去するイメージリジェクションミキサと、
上記イメージリジェクションミキサからのＩＦ信号を既設定された帯域に通過させるＩＦフィルターと、
上記ＩＦフィルターから出力されるＩＦ信号を増幅するＩＦ増幅部と、
を具備した地上波ＤＭＢチューナー。
【請求項１０】
上記イメージリジェクションミキサは、上記ＲＦ信号と第１発振信号を乗算して１８０度位相差を有する第１、第２ＩＦ−Ｉ信号を生成する第１乗算部と、
上記ＲＦ信号と第２発振信号を乗算して１８０度位相差を有する第１、第２ＩＦ−Ｑ信号を生成する第２乗算部と、
上記第１、第２ＩＦ−Ｉ信号が入力される第１及び第２入力端と、上記第１、第２ＩＦ−Ｑ信号が入力される第３及び第４入力端と、第１ないし第４出力端と、第１スイッチング信号に応じて上記第１、第２ＩＦ−Ｉ信号を上記第１及び第３出力端に各々出力し、上記第１、第２ＩＦ−Ｑ信号を上記第２及び第４出力端に各々出力する第１信号選択部と、第２スイッチング信号に応じて上記第１、第２ＩＦ−Ｉ信号を上記第１及び第３出力端に各々出力し、上記第１、第２ＩＦ−Ｑ信号を上記第４及び第２出力端に各々出力する第２信号選択部を含む信号選択部と、
上記信号選択部の第１ないし第４出力端に順次に各々連結された第１ないし第４入力端及び第１ないし第４出力端を含み、上記第１ないし第４入力端を通して入力される信号に含まれたイメージ成分を除去して第１ないし第４ＩＦ信号を生成して上記第１ないし第４出力端を通して出力するポリフェーズフィルターとを含み、
上記第１選択部がオンの際、発振周波数より低いイメージ周波数を除去し、第２選択部がオンの際、発振周波数より高いイメージ周波数を除去するように成ることを特徴とする請求項９に記載の地上波ＤＭＢチューナー。
【請求項１１】
上記信号選択部の第１信号選択部は、第３及び第２ＤＭＢチャンネル選択の際提供される第１スイッチング信号によりオン動作されるように成り、
上記信号選択部の第２信号選択部は、第１ＤＭＢチャンネル選択の際提供される第２スイッチング信号によりオン動作されるように成ることを特徴とする請求項１０に記載の地上波ＤＭＢチューナー。
【請求項１２】
上記信号選択部の第１信号選択部は、第３ＤＭＢチャンネル選択の際提供される第１  スイッチング信号によりオン動作されるように成り、
上記信号選択部の第２信号選択部は、第１及び第２ＤＭＢチャンネル選択の際提供される第２スイッチング信号によりオン動作されるように成ることを特徴とする請求項１０に記載の地上波ＤＭＢチューナー。
【請求項１３】
上記信号選択部の第１信号選択部は、上記第１  スイッチング信号に応じてスイッチングオン動作して、上記第１、第２ＩＦ−Ｉ信号を上記第１及び第３出力端に各々出力する第１スイッチと、
上記第１スイッチング信号に応じてスイッチングオン動作して、上記第１、第２ＩＦ−Ｑ信号を上記第２及び第４出力端に各々出力する第２スイッチと、
を含むことを特徴とする請求項１０に記載の地上波ＤＭＢチューナー。
【請求項１４】
上記第１及び第２スイッチは、増幅器に具現されることを特徴とする請求項１３に記載の地上波ＤＭＢチューナー。
【請求項１５】
上記信号選択部の第２信号選択部は、上記第２スイッチング信号に応じてスイッチングオン動作して、上記第１、第２ＩＦ−Ｉ信号を上記第１及び第３出力端に各々出力する第３スイッチと、
上記第２スイッチング信号に応じてスイッチングオン動作して、上記第１、第２ＩＦ−Ｑ信号を上記第４及び第２出力端に各々出力する第４スイッチと、
を含むことを特徴とする請求項１０に記載の地上波ＤＭＢチューナー。
【請求項１６】
上記第３及び第４スイッチは、増幅器に具現されることを特徴とする請求項１５に記載の地上波ＤＭＢチューナー。
【発明の詳細な説明】
【技術分野】
【０００１】
本発明は携帯電話などの移動用通信端末機に適用されるローＩＦ構造の地上波ＤＭＢ(Digital Multimedia Broadcasting)チューナー及びこれに適用されるイメージリジェクションミキサに関するもので、とりわけ外装素子を除去でき、単一ＩＣで作製できるよう具現することにより、小型化、低電力化及び低価格化を成し遂げられるイメージリジェクションミキサ及びこれを利用したローＩＦ構造の地上波ＤＭＢチューナーに関するものである。
【背景技術】
【０００２】
一般に、ＤＭＢ(Digital Multimedia Broadcasting、テ゛シ゛タルマルチメテ゛ィア放送)は従来のＡＭ放送やＦＭ放送のような単なるオーディオサービスに留まらずコンパクトディスク（ＣＤ）レベルの高品質音声はいうまでもなく、文字・グラフィック・動画像まで転送が可能なデジタルマルチメディア放送のことをいう。通常地域的に無料放送を実施する地上波放送のことを示すが、広い意味では衛星と地上網とを同時に活用してマルチメディア有料放送を実施する衛星ＤＭＢも含まれる。
【０００３】
また、従来のアナログ音源処理方式や変調方式とは全く異なるオーディオ放送形態の放送用として、音源のデジタル処理から変調方式までも劣化やノイズに強いデジタル変調方式を採用したものである。音源処理方式は膨大なデータを転送と貯蔵に適するよう圧縮するＭＰＥＧＩ階層２のオーディオ圧縮方式を採用し、変調方式は移動体受信能に優れたＣＯＦＤＭ方式を採用している。そして欧州のＤＡＢ(Digital Audio Broadcast)のバンドにはＶＨＦ帯域であるバンド−III（１７４〜２４０MHz）及びＬ−バンド（１４５２〜１４９２MHz）と、衛星ＤＭＢバンドである２６３０〜２６５５MHzが割当てられている。
【０００４】
これに対して、韓国の地上波ＤＭＢバンドには上記バンド−III（１７４〜２４０MHz）中の一部帯域が割当てられているが、現在韓国における地上波ＤＭＢに割当てられた周波数はバンドIIIに該するＴＶチャンネルである１０番チャンネル（１９３〜１９９ＭＨｚ）及び１２番チャンネル（２０４〜２１０ＭＨｚ）を使用し、ここで１０番及び１２番チャンネルは３個のＤＭＢチャンネルを各々含む。
【０００５】
通常、こうしたＤＭＢチューナーは最近の軽薄短小の傾向に応じてシリコン(Silicon)工程を使用するＣＭＯＳ工程によって一つのＡＳＩＣチップに作製するといった研究及び開発が行われ続けているが、かかるワンチップ化のためにはＩＣ化の困難な素子を排除し、できる限り簡単な回路を具現することが必要である。
【０００６】
従来の技術の地上波ＤＭＢチューナーは図１に示すように構成される。
【０００７】
図１は従来の技術の地上波ＤＭＢチューナーの構成図である。
【０００８】
図１に示す従来の技術の地上波ＤＭＢチューナーは地上波ＤＭＢ周波数バンドを通過させる帯域通過フィルター（１１）と、上記帯域通過フィルター（１１）の出力信号を既設定された利得に増幅するＲＦ増幅器（１２）と、受信される信号の強度に応じて利得が自動調節され、この調節された利得で上記ＲＦ増幅器（１２）の出力信号を増幅するＡＧＣ増幅器（１３）と、チャンネル選択のための発振周波数を生成するＶＣＯ（１４）と、上記ＶＣＯ（１４）の発振周波数を制御するＰＬＬ部（１５）と、上記ＡＧＣ増幅器（１３）の出力信号と上記発振周波数をミキシングしてＩＦ信号を生成するミキサ（１６）と、上記ミキサ（１６）から出力されるＩＦ信号を既設定された帯域に通過させるＩＦ  ＳＡＷフィルター（１７）と、上記ＳＡＷフィルター（１７）の出力信号を既設定された利得に増幅するＩＦ増幅器（１８）を含む。
【０００９】
図２は図１の地上波ＤＭＢチューナーにおける所望の信号、イメージ信号及びＩＦ信号の周波数スペクトル図として、図２によると、従来の技術の地上波チューナーはバンド−III（１７４〜２４０MHz）を３８．９１２ＭＨｚのＩＦ信号に変換するが、上記ＩＦ信号は所望の信号（ＲＦｗ）の他にイメージ信号（ＲＦｉｍ）も含まれている。即ち、発振周波数（Ｆｏ）を中心として両側に所望の信号（ＲＦｗ）とイメージ信号（ＲＦｉｍ）とが対称にＩＦだけ離れて位置している。
【００１０】
また、こうしたイメージ信号はＩＦ信号の周波数が高いことから周波数領域において所望の信号と大変離れてくるので、上記帯域通過フィルター（１１）により除去されることができる。そして、上記ＩＦ  ＳＡＷフィルター（１７）を利用してより優れた選択度でＩＦ信号を選択することができる。
【００１１】
しかし、このような従来の技術による地上波ＤＭＢチューナーにおいては、ＩＦの周波数が高いのでＩＣに具現可能なアクティブフィルターとしては高周波数において優れた選択度を示さない為、高周波数においても優れた選択度特性を有するＩＦ  ＳＡＷフィルターを使用しなければならないので、地上波ＤＭＢチューナーを一つのＩＣに作製し難く、このことからサイズの縮減に限界があり、作製単価が高く、また消費電力も高いといった問題がある。
【００１２】
とりわけ、ＳＡＷフィルターを除去するための方案としては、ゼロＩＦ構造のチューナーとローＩＦ構造のチューナーが考えられるが、この際ゼロＩＦ構造のチューナーにおいてはＯＦＤＭ変調の際ＤＣオフセットによる受信感度が顕著に落ちるといった問題がある。
【発明の開示】
【発明が解決しようとする課題】
【００１３】
本発明は上記問題を解決するために提案されたものとして、その目的は携帯電話などの移動用通信端末機に適用されるローＩＦ構造の地上波ＤＭＢ(Digital Multimedia Broadcasting)チューナー及びこれに適用されるイメージリジェクションミキサにおいて、外装素子を除去でき単一ＩＣに作製できるよう具現することにより、小型化、低電力化及び低価格化を成し遂げられるイメージリジェクションミキサ及びこれを利用したローＩＦ構造の地上波ＤＭＢチューナーを提供することにある。
【課題を解決するための手段】
【００１４】
上記本発明の目的を成し遂げるために、本発明のイメージリジェクションミキサは、
地上波ＤＭＢチューナーに適用可能で、９０度位相差を有する第１、第２発振信号とＲＦ信号とをミキシングしてＩＦ信号を生成するイメージリジェクションミキサにおいて、
上記ＲＦ信号と第１発振信号を乗算して１８０度位相差を有する第１、第２ＩＦ−Ｉ信号を生成する第１乗算部と、
上記ＲＦ信号と第２発振信号を乗算して１８０度位相差を有する第１、第２ＩＦ−Ｑ信号を生成する第２乗算部と、
上記第１、第２ＩＦ−Ｉ信号が入力される第１及び第２入力端と、上記第１、第２ＩＦ−Ｑ信号が入力される第３及び第４入力端と、第１ないし第４出力端と、第１スイッチング信号に応じて上記第１、第２ＩＦ−Ｉ信号を上記第１及び第３出力端に各々出力し、上記第１、第２ＩＦ−Ｑ信号を上記第２及び第４出力端に各々出力する第１信号選択部と、第２スイッチング信号に応じて上記第１、第２ＩＦ−Ｉ信号を上記第１及び第３出力端に各々出力し、上記第１、第２ＩＦ−Ｑ信号を上記第４及び第２出力端に各々出力する第２信号選択部を含む信号選択部と、
上記信号選択部の第１ないし第４出力端に順次に各々連結された第１ないし第４入力端及び第１ないし第４出力端を含み、上記第１ないし第４入力端を通して入力される信号に含まれたイメージ成分を除去して第１ないし第４ＩＦ信号を生成し上記第１ないし第４出力端を通して出力するポリフェーズフィルターを具備して、
上記第１選択部がオンの際、発振周波数より低いイメージ周波数を除去し、第２選択部がオンの際、発振周波数より高いイメージ周波数を除去するように成ることを特徴とする。
【００１５】
さらに、本発明のローＩＦ構造の地上波ＤＭＢチューナーは、
地上波ＤＭＢ帯域のＲＦ信号を既設定された帯域に通過させる帯域通過フィルターと、
上記帯域通過フィルターから出力されるＲＦ信号を増幅するＲＦ増幅部と、
チャンネル選択信号及びスイッチング信号を含む直列データを並列データに変換し、この変換された並列データに含まれたチャンネル選択信号及び第１、第２スイッチング信号を出力するインターフェース部と、
上記インターフェース部からのチャンネル選択信号に応じて発振を制御するＰＬＬと、
上記ＰＬＬの発振制御に応じて９０度位相差を有する第１、第２発振信号を生成する二相発振部と、
上記第１、第２発振信号と、上記ＲＦ増幅部から出力される信号をミキシングしてＩＦ信号を生成し、上記スイッチング信号に応じて上記ＩＦ信号に含まれたイメージ成分を除去するイメージリジェクションミキサと、
上記イメージリジェクションミキサからのＩＦ信号を既設定された帯域に通過させるＩＦフィルターと、
上記ＩＦフィルターから出力されるＩＦ信号を増幅するＩＦ増幅部と、
を具備することを特徴とする。
【発明の効果】
【００１６】
上述したような本発明によれば、携帯電話などの移動用通信端末機に適用される地上波ＤＭＢ(Digital Multimedia Broadcasting)チューナー及びこれに適用されるイメージリジェクションミキサにおいて、外装素子を除去でき単一ＩＣに作製できるよう具現することにより、小型化、低電力化及び低価格化を成し遂げられる効果を奏する。
【発明を実施するための最良の形態】
【００１７】
以下、本発明の好ましき実施例について添付の図を参照しながら詳しく説明する。本発明に参照された図において実質的に同一な構成と機能を有する構成要素には同一符合を使用する。
【００１８】
図３は本発明によるローＩＦ構造の地上波ＤＭＢチューナーの構成図である。
【００１９】
図３によると、本発明のローＩＦ構造の地上波ＤＭＢチューナーは、地上波ＤＭＢ帯域のＲＦ信号を既設定された帯域に通過させる帯域通過フィルター（１００）と、上記帯域通過フィルター（１００）から出力されるＲＦ信号を増幅するＲＦ増幅部（２００）と、チャンネル選択信号及びスイッチング信号（ＳＳ１、ＳＳ２）を含む直列データを並列データに変換し、この変換された並列データに含まれたチャンネル選択信号及び第１、第２スイッチング信号（ＳＳ１、ＳＳ２）を出力するインターフェース部（３００）と、上記インターフェース部（３００）からのチャンネル選択信号に応じて発振を制御するＰＬＬ（４００）と、上記ＰＬＬ（４００）の発振制御に応じて９０度位相差を有する第１、第２発振信号（ＬＯ１、ＬＯ２）を生成する二相発振部（５００）と、上記第１、第２発振信号（ＬＯ１、ＬＯ２）と、上記ＲＦ増幅部（２００）から出力される信号をミキシングしてＩＦ信号を生成し、上記スイッチング信号（ＳＳ１、ＳＳ２）に応じて上記ＩＦ信号に含まれたイメージ成分を除去するイメージリジェクションミキサ（６００）と、上記イメージリジェクションミキサ（６００）からのＩＦ信号を既設定された帯域に通過させるＩＦフィルター（７００）と、上記ＩＦフィルター（７００）から出力されるＩＦ信号を増幅するＩＦ増幅部（８００）とを含む。
【００２０】
ここで、上記ＲＦ増幅部（２００）及びＩＦ増幅部（８００）は既設定された利得を有する固定増幅部及び／または受信信号の大きさに応じて利得が自動制御されるＡＧＣ増幅器を含むことができる。
【００２１】
さらに、上記ＩＦ信号は略８５０ＫＨｚから９００ＫＨｚなどのローＩＦであり、略数ＭＨｚから略数百ＫＨｚの周波数に設定することができる。
【００２２】
上記構成中ＲＦ増幅部（２００）と、インターフェース部（３００）と、ＰＬＬ（４００）と、二相発振部（５００）と、イメージリジェクションミキサ（６００）と、ＩＦフィルター（７００）及びＩＦ増幅部（８００）は一つのＩＣに作製することができる。
【００２３】
図４は本発明によるイメージリジェクションミキサの構成図である。
【００２４】
図４によると、本発明のイメージリジェクションミキサ（６００）は第１乗算部（６２０）、第２乗算部（６３０）、信号選択部（６４０）及びポリフェーズフィルター（６５０）を含む。さらに、上記イメージリジェクションミキサ（６００）はＲＦ信号を上記第１乗算部（６２０）及び第２乗算部（６３０）に分配する分配部（６１０）をさらに含むことができる。
【００２５】
図４において、上記第１乗算部（６２０）は上記ＲＦ信号と第１発振信号（ＬＯ１）を乗算して１８０度位相差を有する第１、第２ＩＦ−Ｉ信号、
【数１】
2006197533.tif 000003
【００２６】
を生成する。
【００２７】
上記第２乗算部（６３０）は上記ＲＦ信号と第２発振信号（ＬＯ２）を乗算して１８０度位相差を有する第１、第２ＩＦ−Ｑ信号
【数２】
2006197533.tif 000004
【００２８】
を生成する。
【００２９】
上記信号選択部（６４０）は上記第１、第２ＩＦ−Ｉ信号
【数３】
2006197533.tif 000005
【００３０】
が入力される第１及び第２入力端（ＩＮ１、ＩＮ２）と、上記第１、第２ＩＦ−Ｑ信号
【数４】
2006197533.tif 000006
【００３１】
が入力される第３及び第４入力端（ＩＮ３、ＩＮ４）と、第１ないし第４出力端（ＯＵＴ１〜ＯＵＴ４）と、第１スイッチング信号（ＳＳ１）に応じて上記第１、第２ＩＦ−Ｉ信号
【数５】
2006197533.tif 000007
【００３２】
を上記第１及び第３出力端（ＯＵＴ１、ＯＵＴ３）に各々出力し、上記第１、第２ＩＦ−Ｑ信号
【数６】
2006197533.tif 000008
【００３３】
を上記第２及び第４出力端（ＯＵＴ２、ＯＵＴ４）に各々出力する第１信号選択部（６４１）と、第２スイッチング信号（ＳＳ２）に応じて上記第１、第２ＩＦ−Ｉ信号
【数７】
2006197533.tif 000009
【００３４】
を上記第１及び第３出力端（ＯＵＴ１、ＯＵＴ３）に各々出力し、上記第１、第２ＩＦ−Ｑ信号
【数８】
2006197533.tif 000010
【００３５】
を上記第４及び第２出力端（ＯＵＴ４、ＯＵＴ２）に各々出力する第２信号選択部（６４２）を含む。
【００３６】
そして、上記信号選択部（６４０）の第１信号選択部（６４１）は第３及び第２ＤＭＢチャンネル選択の際提供される第１スイッチング信号（ＳＳ１）によりオン動作されるように成っており、上記信号選択部（６４０）の第２信号選択部（６４２）は第１ＤＭＢチャンネル選択の際提供される第２スイッチング信号（ＳＳ２）によりオン動作されるよう成ることができる。これと異なって、上記信号選択部（６４０）の第１信号選択部（６４１）は第３ＤＭＢチャンネル選択の際提供される第１スイッチング信号（ＳＳ１）によりオン動作されるように成り、上記信号選択部（６４０）の第２信号選択部（６４２）は第１及び第２ＤＭＢチャンネル選択の際提供される第２スイッチング信号（ＳＳ２）によりオン動作されるよう成ることができる。
【００３７】
ここで、上記第１スイッチング信号（ＳＳ１）と第２スイッチング信号（ＳＳ２）中いずれかが選択的にオン信号で提供され、これにより上記第１信号選択部（６４１）と上記第２信号選択部（６４２）中いずれかが選択的にオン動作される。
【００３８】
より具体的には、上記信号選択部（６４０）の第１信号選択部（６４１）は上記第１  スイッチング信号（ＳＳ１）に応じてスイッチングオン動作し、上記第１、第２ＩＦ−Ｉ信号
【数９】
2006197533.tif 000011
【００３９】
を上記第１及び第３出力端（ＯＵＴ１、ＯＵＴ３）に各々出力する第１スイッチ（ＳＷ１）と、上記第１スイッチング信号（ＳＳ１）に応じてスイッチングオン動作し、上記第１、第２ＩＦ−Ｑ信号
【数１０】
2006197533.tif 000012
【００４０】
を上記第２及び第４出力端（ＯＵＴ２、ＯＵＴ４）に各々出力する第２スイッチ（ＳＷ２）を含む。この際、上記第１及び第２スイッチ（ＳＷ１、ＳＷ２）は増幅器に具現することができる。
【００４１】
さらに、上記信号選択部（６４０）の第２信号選択部（６４２）は上記第２スイッチング信号（ＳＳ２）に応じてスイッチングオン動作し、上記第１、第２ＩＦ−Ｉ信号
【数１１】
2006197533.tif 000013
【００４２】
を上記第１及び第３出力端（ＯＵＴ１、ＯＵＴ３）に各々出力する第３スイッチ（ＳＷ３）と、上記第２スイッチング信号（ＳＳ２）に応じてスイッチングオン動作し、上記第１、第２ＩＦ−Ｑ信号
【数１２】
2006197533.tif 000014
【００４３】
を上記第４及び第２出力端（ＯＵＴ４、ＯＵＴ２）に各々出力する第４スイッチ（ＳＷ４）を含む。この際、上記第３及び第４スイッチ（ＳＷ３、ＳＷ４）は増幅器に具現することができる。
【００４４】
上記ポリフェーズフィルター（６５０）は上記信号選択部（６４０）の第１ないし第４出力端（ＯＵＴ１〜ＯＵＴ４）に順次に各々連結された第１ないし第４入力端（Ｘ１〜Ｘ４）及び第１ないし第４出力端（Ｙ１〜Ｙ４）を含み、上記第１ないし第４入力端（Ｘ１〜Ｘ４）を通して入力される信号に含まれたイメージ成分を除去して第１ないし第４ＩＦ信号（ＩＦ１〜ＩＦ４）を生成して上記第１ないし第４出力端（Ｙ１〜Ｙ４）を通して出力する。
【００４５】
図５は本発明によるローＩＦ構造の地上波ＤＭＢのバンドIIIのチャンネル割当及び隣接チャンネルの減衰特性の説明図である。図５に示すように、地上波ＤＭＢチューナーはＴＶチャンネルである１０番チャンネルまたは１２番チャンネルを使用しており、その他のチャンネルを使用することができるが、この際地上波ＤＭＢチャンネルは異なる隣接ＴＶチャンネルとは略４０ｄＢ程度の減衰特性を有し、地上波ＤＭＢチャンネル同士では略２０ｄＢ程度の減衰特性を有すべきであることが分かる。
【００４６】
これにより、本発明のローＩＦ構造の地上波ＤＭＢチューナーにおいては、難しく煩わしい設計無しでも隣接チャンネルの減衰特性を満足できるよう、図６に示すように、所望の信号のイメージ信号が地上波ＤＭＢ帯域に位置するよう発振周波数設定する。
【００４７】
図６（ａ）、（ｂ）及び（ｃ）は本発明によるローＩＦ構造の地上波ＤＭＢチャンネルの選択過程の例示図である。
【００４８】
図６（ａ）によると、本発明のイメージリジェクションミキサにおいて、第１ＤＭＢチャンネル（ＤＭＢ−ＣＨ１）選択の際には上記第１ＤＭＢチャンネル（ＤＭＢ−ＣＨ１）選択のための発振周波数が第１ＤＭＢチャンネル（ＤＭＢ−ＣＨ１）の上側に位置し、図６（ｂ）によると、第３ＤＭＢチャンネル（ＤＭＢ−ＣＨ３）選択の際には上記第３ＤＭＢチャンネル（ＤＭＢ−ＣＨ３）選択のための発振周波数が第３ＤＭＢチャンネル（ＤＭＢ−ＣＨ３）の下側に位置し、図６（ｃ）によると、第２ＤＭＢチャンネル（ＤＭＢ−ＣＨ２）選択の際には上記第２ＤＭＢチャンネル（ＤＭＢ−ＣＨ２）選択のための発振周波数が第２ＤＭＢチャンネル（ＤＭＢ−ＣＨ２）の上側または下側に位置することが分かる。
【００４９】
以下、本発明の作用及び効果を添付の図に基づき詳しく説明する。
【００５０】
図３ないし図６によると、本発明の地上波ＤＭＢチューナーにおいて、アンテナ（ＡＮＴ）を通して入力される地上波ＤＭＢ信号は帯域通過フィルター（１００）により既設定された帯域を通過した後ＲＦ増幅部（２００）において増幅される。
【００５１】
一方、本発明の地上波ＤＭＢチューナーにおいて、インターフェース部（３００）の直列−並列変換部（ＳＰ）はチャンネル選択信号及び第１、第２スイッチング信号（ＳＳ１、ＳＳ２）を含む直列データ（ＳＤ）を並列データに変換し、上記インターフェース部（３００）の第１レジスタ（Ｒｅ１）は上記直列−並列変換部（ＳＰ）により変換された並列データに含まれたスイッチング信号をイメージリジェクションミキサ（６００）に出力し、また上記インターフェース部（３００）の第２レジスタ（Ｒｅ２）は上記直列−並列変換部（ＳＰ）により変換された並列データに含まれたチャンネル選択信号をＰＬＬ（４００）に出力する。ここで、直列データ（ＳＤ）は本発明の地上波ＤＭＢチューナーが適用される端末機または装置からチャンネル選択に応じて提供されるデータである。
【００５２】
次いで、上記ＰＬＬ（４００）は上記インターフェース部（３００）からのチャンネル選択信号に応じて二相発振部（５００）の発振を制御し、これに応じて上記二相発振部（５００）は上記ＰＬＬ（４００）の発振制御に応じて９０度位相差を有する第１、第２発振信号（ＬＯ１、ＬＯ２）を生成してイメージリジェクションミキサ（６００）に出力する。
【００５３】
例えば、図６（ａ）に示したように、１２番チャンネルに含まれた第１ＤＭＢチャンネル（ＤＭＢ−ＣＨ１）選択の際には、上記第１ＤＭＢチャンネル（ＤＭＢ−ＣＨ１）の中心周波数「２０５．２６４ＭＨｚ」を選択するために第１発振周波数（ＬＯ１）として「２０６．１３６ＭＨｚ」を生成させれば、約８７２ＫＨｚのＩＦ信号が出力される。
【００５４】
図６（ｂ）に示すように、１２番チャンネルに含まれた第３ＤＭＢチャンネル（ＤＭＢ−ＣＨ３）選択の際には、上記第３ＤＭＢチャンネル（ＤＭＢ−ＣＨ３）の中心周波数「２０８．７３６ＭＨｚ」を選択するために第２発振周波数（ＬＯ２）として「２０７．８８ＭＨｚ」を生成させれば、約８５６ＫＨｚのＩＦ信号が出力される。
【００５５】
さらに、図６（ｃ）に示すように、１２番チャンネルに含まれた第２ＤＭＢチャンネル（ＤＭＢ−ＣＨ２）選択の際には、上記第２ＤＭＢチャンネル（ＤＭＢ−ＣＨ２）の中心周波数「２０７．００８ＭＨｚ」を選択するために、第１発振周波数（ＬＯ１）として「２０６．１３６ＭＨｚ」を生成させれば、約８７２ＫＨｚのＩＦ信号が出力され、または選択的に第２発振周波数（ＬＯ２）として「２０７．８８ＭＨｚ」を生成させると、約８７２ＫＨｚのＩＦ信号が出力される。
【００５６】
次いで、上記イメージリジェクションミキサ（６００）は上記第１、第２発振信号（ＬＯ１、ＬＯ２）と、上記ＲＦ増幅部（２００）から出力される信号をミキシングしてＩＦ信号を生成し、上記第１、第２スイッチング信号（ＳＳ１、ＳＳ２）に応じて上記ＩＦ信号に含まれたイメージ成分を除去してＩＦフィルター（７００）に出力する。これについては図４を参照しながら具体的に説明する。
【００５７】
次いで、上記ＩＦフィルター（７００）は上記イメージリジェクションミキサ（６００）からのＩＦ信号を既設定された帯域に通過させ、続いてＩＦ増幅部（８００）は上記ＩＦフィルター（７００）から出力されるＩＦ信号を増幅して出力する。
【００５８】
以下、図３及び図４を参照しながら上記イメージリジェクションミキサ（６００）の動作を説明する。
【００５９】
図３及び図４によると、上記イメージリジェクションミキサ（６００）の分配部（６１０）においては上記ＲＦ増幅部（２００）から入力されるＲＦ信号を第１乗算部（６２０）及び第２乗算部（６３０）に各々分配するが、この際上記第１乗算部（６２０）は上記ＲＦ信号と第１発振信号（ＬＯ１）を乗算して１８０度位相差を有する第１、第２ＩＦ−Ｉ信号
【数１３】
2006197533.tif 000015
【００６０】
を生成し、また上記第２乗算部（６３０）は上記ＲＦ信号と第２発振信号（ＬＯ２）を乗算して１８０度位相差を有する第１、第２ＩＦ−Ｑ信号
【数１４】
2006197533.tif 000016
【００６１】
を生成する。
【００６２】
次いで、信号選択部（６４０）は第１ないし第４入力端（ＩＮ１〜ＩＮ４）を通して上記第１、第２ＩＦ−Ｉ信号
【数１５】
2006197533.tif 000017
【００６３】
及び第１、第２ＩＦ−Ｑ信号
【数１６】
2006197533.tif 000018
【００６４】
の入力を受け、その信号を相違する配列で上記インターフェース部（３００）からの第１、第２スイッチング信号（ＳＳ１、ＳＳ２）に応じて第１ないし第４出力端（ＯＵＴ１〜ＯＵＴ４）を通して出力する。
【００６５】
より具体的には、本発明の信号選択部（６４０）は第１信号選択部（６４１）及び第２信号選択部（６４２）を含むが、上記第１信号選択部（６４１）または第２信号選択部（６４２）は第１スイッチング信号（ＳＳ１）または第２スイッチング信号（ＳＳ２）によって選択的にオン動作するが、例えば上記第１スイッチング信号（ＳＳ１）により上記第１信号選択部（６４１）のみオン動作する場合には、下記表１のような上記第１、第２ＩＦ−Ｉ信号
【数１７】
2006197533.tif 000019
【００６６】
及び第１、第２ＩＦ−Ｑ信号
【数１８】
2006197533.tif 000020
【００６７】
が上記第１ないし第４出力端（ＯＵＴ１〜ＯＵＴ４）に連結される。
【００６８】
さらに、上記第２スイッチング信号（ＳＳ２）により上記第２信号選択部（６４２）のみオン動作する場合には下記表１のような上記第１、第２ＩＦ−Ｉ信号
【数１９】
2006197533.tif 000021
【００６９】
及び第１、第２ＩＦ−Ｑ信号
【数２０】
2006197533.tif 000022
【００７０】
が上記第１ないし第４出力端（ＯＵＴ１〜ＯＵＴ４）に連結される。
【００７１】
即ち、上記第１信号選択部（６４１）がオンの際、所望の信号のロー側に発振周波数が設定されるので、発振周波数より低いイメージ信号を除去でき、また上記第２信号選択部（６４２）がオンの際、所望の信号のハイ側に発振周波数が設定されるので、発振周波数より高いイメージ信号を除去することができる。
【表１】
2006197533.tif 000023
【００７２】
一例として、上記信号選択部（６４０）の第１信号選択部（６４１）は第３及び第２ＤＭＢチャンネル選択の際提供される第１スイッチング信号（ＳＳ１）によりオン動作されるように成り、上記信号選択部（６４０）の第２信号選択部（６４２）は第１ＤＭＢチャンネル選択の際提供される第２スイッチング信号（ＳＳ２）によりオン動作されるよう成ることができる。
【００７３】
ここで、本発明の地上波ＤＭＢ第３チャンネルまたは第２チャンネルが選択される場合、上記第１スイッチング信号（ＳＳ１）に応じて上記第１信号選択部（６４１）がオン動作され、上記表１に示すように、上記第１、第２ＩＦ−Ｉ信号
【数２１】
2006197533.tif 000024
【００７４】
を上記第１及び第３出力端（ＯＵＴ１、ＯＵＴ３）に各々出力し、上記第１、第２ＩＦ−Ｑ信号
【数２２】
2006197533.tif 000025
【００７５】
を上記第２及び第４出力端（ＯＵＴ２、ＯＵＴ４）に各々出力する。
【００７６】
より具体的には、上記第１信号選択部（６４１）の第１スイッチ（ＳＷ１）は上記第１スイッチング信号（ＳＳ１）に応じてスイッチングオン動作し、上記第１、第２ＩＦ−Ｉ信号
【数２３】
2006197533.tif 000026
【００７７】
を上記第１及び第３出力端（ＯＵＴ１、ＯＵＴ３）に各々出力し、上記第１信号選択部（６４１）の第２スイッチ（ＳＷ２）は上記第１スイッチング信号（ＳＳ１）に応じてスイッチングオン動作して、上記第１、第２ＩＦ−Ｑ信号
【数２４】
2006197533.tif 000027
【００７８】
を上記第２及び第４出力端（ＯＵＴ２、ＯＵＴ４）に各々出力する。
【００７９】
異なる例として、上記信号選択部（６４０）の第１信号選択部（６４１）は第３ＤＭＢチャンネル選択の際提供される第１スイッチング信号（ＳＳ１）によりオン動作されるように成り、上記信号選択部（６４０）の第２信号選択部（６４２）は第１及び第２ＤＭＢチャンネル選択の際提供される第２スイッチング信号（ＳＳ２）によりオン動作されるよう成ることができる。
【００８０】
ここで、本発明の地上波ＤＭＢ第１チャンネルまたは第２チャンネルが選択される場合、上記第２スイッチング信号（ＳＳ２）に応じて上記第２信号選択部（６４２）がオン動作され、上記表１に示すように、上記第１、第２ＩＦ−Ｉ信号
【数２５】
2006197533.tif 000028
【００８１】
を上記第１及び第３出力端（ＯＵＴ１、ＯＵＴ３）に各々出力し、上記第１、第２ＩＦ−Ｑ信号
【数２６】
2006197533.tif 000029
【００８２】
を上記第４及び第２出力端（ＯＵＴ４、ＯＵＴ２）に各々出力する。
【００８３】
より具体的には、上記第２信号選択部（６４２）の第３スイッチ（ＳＷ３）は上記第２スイッチング信号（ＳＳ２）に応じてスイッチングオン動作して、上記第１、第２ＩＦ−Ｉ信号
【数２７】
2006197533.tif 000030
【００８４】
を上記第１及び第３出力端（ＯＵＴ１、ＯＵＴ３）に各々出力し、上記第２信号選択部（６４２）の第４スイッチ（ＳＷ４）は上記第２スイッチング信号（ＳＳ２）に応じてスイッチングオン動作して、上記第１、第２ＩＦ−Ｑ信号
【数２８】
2006197533.tif 000031
【００８５】
を上記第４及び第２出力端（ＯＵＴ４、ＯＵＴ２）に各々出力する。
【００８６】
次いで、本発明のポリフェーズフィルター（６５０）は上記信号選択部（６４０）の第１ないし第４出力端（ＯＵＴ１〜ＯＵＴ４）に順次に各々連結された第１ないし第４入力端（Ｘ１〜Ｘ４）及び第１ないし第４出力端（Ｙ１〜Ｙ４）を含み、上記第１ないし第４入力端（Ｘ１〜Ｘ４）を通して入力される信号に含まれたイメージ成分を除去して第１ないし第４  ＩＦ信号（ＩＦ１〜ＩＦ４）を生成して上記第１ないし第４出力端（Ｙ１〜Ｙ４）を通して出力して出力する。
【００８７】
こうした上記ポリフェーズフィルター（６５０）が図４に示すようにＲ及びＣから成る４相フェーズフィルターで具現された場合について説明する。
【００８８】
図６（ａ）、（ｂ）及び（ｃ）中、先ず図６（ｂ）に示すように、第３ＤＭＢチャンネル（ＤＭＢ−ＣＨ３）選択の際、上記表１に示すように信号が選択され、上記ポリフェーズフィルター（６５０）の第１ないし第４入力端（Ｘ１〜Ｘ４）には下記表２のように信号が入力される。
【表２】
2006197533.tif 000032
【００８９】
例えば、入力されるＲＦ信号にイメージ信号「ＸＡ（ｔ）」と所望の信号「ＸＢ（ｔ）」が含まれ、上記ＸＩ（ｔ）及びＸＱ（ｔ）が下記数学式１のように定義されると、上記ポリフェーズフィルター（６５０）の第１ないし第４入力端（Ｘ１〜Ｘ４）の信号は下記数学式２のようになる。
【数２９】
2006197533.tif 000033
【数３０】
2006197533.tif 000034
【００９０】
上記数学式１及び２で、Ａはイメージデータに該し、Ｂは所望のデータに該する。
【００９１】
図４のポリフェーズフィルター（６５０）の第１出力端（Ｙ１）には、上記第１入力端（Ｘ１）の信号が抵抗（Ｒ１）によりレッグ（ｌｅｇ）された信号と上記第２入力端（Ｘ２）の信号がキャパシタ（Ｃ１）によりリード（ＬＥＡＤ）された信号とが合わせられ下記数学式３のような信号が出力される。
【００９２】
上記第２出力端（Ｙ２）には上記第２入力端（Ｘ２）の信号が抵抗（Ｒ２）によりレッグ（ｌｅｇ）された信号と上記第３入力端（Ｘ３）の信号がキャパシタ（Ｃ２）によりリード（ＬＥＡＤ）された信号とが合わせられ下記数学式４のような信号が出力される。
【００９３】
さらに、上記第３出力端（Ｙ３）には上記第３入力端（Ｘ３）の信号が抵抗（Ｒ３）によりレッグ（ｌｅｇ）された信号と上記第４入力端（Ｘ４）の信号がキャパシタ（Ｃ３）によりリード（ＬＥＡＤ）された信号とが合わせられ下記数学式５のような信号が出力される。
【００９４】
そして、上記第４出力端（Ｙ４）には上記第４入力端（Ｘ４）の信号が抵抗（Ｒ４）によりレッグ（ｌｅｇ）された信号と上記第１入力端（Ｘ１）の信号がキャパシタ（Ｃ４）によりリード（ＬＥＡＤ）された信号とが合わせられ下記数学式６のような信号が出力される。
【数３１】
2006197533.tif 000035
【数３２】
2006197533.tif 000036
【数３３】
2006197533.tif 000037
【数３４】
2006197533.tif 000038
【００９５】
上記数学式３ないし６によると、イメージデータ（Ａ）は除去され、第３チャンネルである所望のデータ（Ｂ）のみ出力されることが分かる。
【００９６】
続いて、図６（ａ）に示すように、第１ＤＭＢチャンネル（ＤＭＢ−ＣＨ１）選択の際、上記表２に示すように信号が選択され、上記ポリフェーズフィルター（６５０）の第１ないし第４入力端（Ｘ１〜Ｘ４）には下記表３のような信号が入力される。
【表３】
2006197533.tif 000039
【００９７】
例えば、入力されるＲＦ信号に所望の信号「ＸＡ（ｔ）」とイメージ信号「ＸＢ（ｔ）」とが含まれており、上記ポリフェーズフィルター（６５０）の第１ないし第４入力端（Ｘ１〜Ｘ４）の信号は下記数学式  ７のようになる。
【数３５】
2006197533.tif 000040
【００９８】
図４のポリフェーズフィルター（６５０）の第１出力端（Ｙ１）には上記第１入力端（Ｘ１）の信号が抵抗（Ｒ１）によりレッグ（ｌｅｇ）された信号と上記第２入力端（Ｘ２）の信号がキャパシタ（Ｃ１）によりリード（ＬＥＡＤ）された信号とが合わされ下記数学式８のような信号が出力される。
【００９９】
上記第２出力端（Ｙ２）には上記第２入力端（Ｘ２）の信号が抵抗（Ｒ２）によりレッグ（ｌｅｇ）された信号と上記第３入力端（Ｘ３）の信号がキャパシタ（Ｃ２）によりリード（ＬＥＡＤ）された信号とが合わされ下記数学式９のような信号が出力される。
【０１００】
さらに、上記第３出力端（Ｙ３）には上記第３入力端（Ｘ３）の信号が抵抗（Ｒ３）によりレッグ（ｌｅｇ）された信号と上記第４入力端（Ｘ４）の信号とがキャパシタ（Ｃ３）によりリード（ＬＥＡＤ）された信号が合わされ下記数学式１０のような信号が出力される。
【０１０１】
そして、上記第４出力端（Ｙ４）には上記第４入力端（Ｘ４）の信号が抵抗（Ｒ４）によりレッグ（ｌｅｇ）された信号と上記第１入力端（Ｘ１）の信号がキャパシタ（Ｃ４）によりリード（ＬＥＡＤ）された信号とが合わされ下記数学式１１のような信号が出力される。
【数３６】
2006197533.tif 000041
【数３７】
2006197533.tif 000042
【数３８】
2006197533.tif 000043
【数３９】
2006197533.tif 000044
【０１０２】
上記数学式８ないし１１によると、イメージデータ（Ｂ）は除去され、第１チャンネルである所望のデータ（Ａ）のみ出力されることが分かる。
【０１０３】
さらに、図６（ｃ）に示すように、第２ＤＭＢチャンネル（ＤＭＢ−ＣＨ２）選択の際は、発振周波数が第２ＤＭＢチャンネルより低いロー側に設定される場合には上記第３ＤＭＢチャンネルに対する説明のとおりに適用され、これに対して発振周波数が第２ＤＭＢチャンネルより高いハイ側に設定される場合には上記第１ＤＭＢチャンネルに対する説明のとおりに適用される。
【０１０４】
上述したように本発明は、ローＩＦ構造の地上波ＤＭＢチューナーへの適用に符合するよう、地上波ＤＭＢチャンネルから選択されたチャンネルのイメージが地上波ＤＭＢチャンネルに存在するようにするイメージリジェクションミキサを具現し、こうしたイメージリジェクションミキサを有する地上波ＤＭＢチューナーを提案して、低価格化、小型化及び低電力化を可能にする。
【０１０５】
図６の（ａ）、（ｂ）及び（ｃ）は本発明によるローＩＦ構造の地上波ＤＭＢチャンネルの選択過程例示図である。
【０１０６】
図６の（ａ）によると、本発明のイメージリジェクションミキサにおいて、第１ＤＭＢチャンネル（ＤＭＢ−ＣＨ１）選択の際には第１  スイッチング信号（ＳＳ１）により第１信号選択部（６４１）がオンされるようにして、上記第１ＤＭＢチャンネル（ＤＭＢ−ＣＨ１）選択のための発振周波数が第１ＤＭＢチャンネル（ＤＭＢ−ＣＨ１）の上側に位置するようにする。
【０１０７】
図６（ｂ）によると、本発明のイメージリジェクションミキサにおいて、第３ＤＭＢチャンネル（ＤＭＢ−ＣＨ３）選択の際には第２スイッチング信号（ＳＳ２）により第２信号選択部（６４２）がオンされるようにし、上記第３ＤＭＢチャンネル（ＤＭＢ−ＣＨ３）選択のための発振周波数が第３ＤＭＢチャンネル（ＤＭＢ−ＣＨ３）の下側に位置するようにする。
【０１０８】
そして、図６（ｃ）によると、本発明のイメージリジェクションミキサにおいて、第２ＤＭＢチャンネル（ＤＭＢ−ＣＨ２）選択の際には第１スイッチング信号（ＳＳ１）により第１信号選択部（６４１）がオンされるか、または第２スイッチング信号（ＳＳ２）により第２信号選択部（６４２）がオンされるようにして、上記第２ＤＭＢチャンネル（ＤＭＢ−ＣＨ２）選択のための発振周波数が第２ＤＭＢチャンネル（ＤＭＢ−ＣＨ２）の上側または下側に位置するようにすることができる。
【０１０９】
以上に説明した本発明は先述した実施例及び添付の図により限定されるものではなく特許請求の範囲により限定され、本発明の装置は本発明の技術的思想を外れない範囲内において様々な置換、変形及び変更が可能であることは本発明の属する技術分野において通常の知識を有する者にとっては明らかなことである。
【図面の簡単な説明】
【０１１０】
【図１】従来の技術の地上波ＤＭＢチューナーの構成図である。
【図２】図１の地上波ＤＭＢチューナーにおける所望の信号、イメージ信号及びＩＦ信号の周波数スペクトル図である。
【図３】本発明によるローＩＦ構造の地上波ＤＭＢチューナーの構成図である。
【図４】本発明によるイメージリジェクションミキサの構成図である。
【図５】本発明によるローＩＦ構造の地上波ＤＭＢのバンドIIIのチャンネル割当及び隣接チャンネルの減衰特性を示す説明図である。
【図６】（ａ）、（ｂ）及び（ｃ）は本発明によるローＩＦ構造の地上波ＤＭＢチャンネルの選択過程の例示図である。
【符号の説明】
【０１１１】
１００  帯域通過フィルター
２００  ＲＦ増幅部
３００  インターフェース部
４００  ＰＬＬ
５００  二相発振部
６００  イメージリジェクションミキサ
６１０  分配部
６２０  第１乗算部
６３０  第２乗算部
６４０  信号選択部
６５０  ポリフェーズフィルター
７００  ＩＦフィルター
８００  ＩＦ増幅部
【図１】
2006197533.tif 000045
【図２】
2006197533.tif 000046
【図３】
2006197533.tif 000047
【図４】
2006197533.tif 000048
【図５】
2006197533.tif 000049
【図６】
2006197533.tif 000050